(57)【要約】【課題】  低消費電力化を可能とした通信モデムを提供すること。【解決手段】  トーン検波部４は、受信すべきデータが入力されているか否かを判定する。全体制御部７は、トーン検波部４によって受信すべきデータが入力されていないと判定された場合、待機状態であると判定して、変復調部５、誤り補正部６および命令デコード部１０に供給されるクロックおよび電源を停止する。さらに、全体制御部７は、ＡＤＣ３およびトーン検波部４に、受信状態のときに使用されるクロックよりも遅いクロックを供給する。これによって、通信モデムの消費電力を削減することが可能となる。【選択図】        図１
2005197999.tif 000002
【特許請求の範囲】
【請求項１】
外部から入力されたアナログ信号から受信データを抽出する通信モデムであって、
受信すべきデータが入力されているか否かを判定する判定手段と、
前記判定手段によって受信すべきデータが入力されていないと判定された場合、待機状態であると判定して、前記通信モデム内の所定回路に供給されるクロックおよび電源のうち少なくとも一方の供給を停止し、前記判定手段によって受信すべきデータが入力されていると判定された場合、受信状態であると判定して、前記所定回路にクロックおよび電源を供給する制御手段とを含む、通信モデム。
【請求項２】
前記判定手段は、アナログ信号をデジタル信号に変換し、信号値が所定値より大きいか否かを判定するアナログ／デジタルコンバータと、
前記アナログ／デジタルコンバータによる判定結果に応じて、受信すべきデータが入力されているか否かを判定するトーン検波部とを含み、
前記制御手段は、前記トーン検波部によって受信すべきデータが入力されていないと判定された場合、前記アナログ／デジタルコンバータおよびトーン検波部に、受信状態のときに使用されるクロックよりも遅いクロックを供給する、請求項１記載の通信モデム。
【請求項３】
前記アナログ／デジタルコンバータは２以上のビットを有し、
前記制御手段は、前記トーン検波部によって受信すべきデータが入力されていないと判定された場合、前記アナログ／デジタルコンバータを１ビットだけ動作するよう制御する、請求項２記載の通信モデム。
【請求項４】
前記所定回路は、前記トーン検波部によって検波された後の信号を復調する復調部と、
前記復調部によって復調された後のデータの誤りを補正する誤り補正部と、
前記誤り補正部によって補正された後のデータをデコードする命令デコード部とを含む、請求項１〜３のいずれかに記載の通信モデム。
【請求項５】
前記命令デコード部がデコードしたデータが送信データの最後を示すデータであれば、前記制御手段は前記待機状態であると判定する、請求項４記載の通信モデム。
【発明の詳細な説明】
【技術分野】
【０００１】
本発明は、有線または無線を利用してデータ通信を行なう通信モデムに関し、特に、待機電力削減による低消費電力化を可能とした通信モデムに関する。
【背景技術】
【０００２】
従来の通信モデムにおいて、受信データは、ＡＧＣ（Auto Gain Control）回路、ＢＰＦ（Band Pass Filter）、ＡＤＣ（Analog to Digital Converter）を経由してトーン検波回路に入力される。トーン検波回路は、ＡＤＣから出力されたデジタル信号を受け、受信すべきデータが入力されているか否かを判定する（キャリア・センス動作）。
【０００３】
データが入力されている場合、受信したデータは変復調回路において変復調処理が行なわれた後、誤り補正回路において誤り補正処理が行なわれることによって、受信データが取出される。そして、命令デコード回路が取出された受信データをデコードして、受信データの論理的な意味を解析する。
【０００４】
この一連の受信動作を行なう際、従来の通信モデムは受信データがいつ入力されるかを事前に知ることができないので、通信モデムの電源がオンされると常時ＡＤＣ、トーン検波回路、変復調回路、誤り補正回路および命令デコード回路に所定のクロックと電力とを供給し、これらの回路ブロックを駆動させていた。
【０００５】
これに関連する技術として、特開２００２−３１４７３３号公報に開示された発明がある。特開２００２−３１４７３３号公報に開示されたファクシミリ装置においては、信号をＡ／Ｄ（Analog/Digital）変換およびＤ／Ａ（Digital/Analog）変換するコーデック部とモデム部とを設け、このモデム部は、ＤＳＰ（Digital Signal Processor）によってコーデック部を周期的に通常動作可能な動作可能状態と、この動作可能状態よりも消費電力の小さい省電力状態（パワーダウンモード）とに遷移させるものである。
【特許文献１】特開２００２−３１４７３３号公報
【発明の開示】
【発明が解決しようとする課題】
【０００６】
上述した従来の通信モデムにおいては、キャリア・センス動作の時に、キャリア・センス動作に必要なトーン検波回路だけでなく、キャリア・センス動作には不要な変復調回路、誤り補正回路および命令デコード回路も駆動し、待機状態時に無駄な電力を消費し、その結果消費電力が大きくなるといった問題点があった。
【０００７】
また、上述した特開２００２−３１４７３３号公報に開示されたファクシミリ装置においては、モデム部がコーデック部に対して周期的にパワーダウン制御信号を送出するものであるが、この技術をトーン検波回路を含んだ通信モデムに適用することはできない。
【０００８】
本発明は、上記問題点を解決するためになされたものであり、その目的は、低消費電力化を可能とした通信モデムを提供することである。
【課題を解決するための手段】
【０００９】
本発明のある局面に従えば、外部から入力されたアナログ信号から受信データを抽出する通信モデムであって、受信すべきデータが入力されているか否かを判定する判定手段と、判定手段によって受信すべきデータが入力されていないと判定された場合、待機状態であると判定して、通信モデム内の所定回路に供給されるクロックおよび電源のうち少なくとも一方の供給を停止し、判定手段によって受信すべきデータが入力されていると判定された場合、受信状態であると判定して、所定回路にクロックおよび電源を供給する制御手段とを含む。
【発明の効果】
【００１０】
待機状態であると判定された場合、制御手段が、通信モデム内の所定回路に供給されるクロックおよび電源のうち少なくとも一方の供給を停止するので、通信モデムの消費電力を削減することが可能となった。
【発明を実施するための最良の形態】
【００１１】
図１は、本発明の実施の形態における通信モデムの概略構成を示すブロック図である。この通信モデムは、通信回線を介して入力されるアナログ信号の利得を自動的に調整するＡＧＣ部１と、通信データが重畳されている搬送波の帯域を抽出するＢＰＦ２と、ＢＰＦ２から出力されたアナログ信号をデジタル信号に変換するＡＤＣ３と、受信データが入力されているか否かを判定するトーン検波部４と、搬送波に重畳されたデータを抽出する変復調部５と、変復調部５によって抽出されたデータに誤りがあった場合に、その誤りを補正する誤り補正部６と、通信モデムの全体的な制御を行なう全体制御部７と、各回路ブロックに所定のクロックを供給するクロック供給部８と、全体制御部７の指示に応じてクロック供給部８から出力される周波数が異なるクロックのいずれかを選択して出力するスイッチ９ａと、全体制御部７の指示に応じてクロック供給部８から出力されるクロックを出力するか停止させるスイッチ９ｂと、誤り補正部６によって誤りが補正された後のデータの論理的な意味を解析する命令デコード部１０とを含む。
【００１２】
図２は、本発明の実施の形態における通信モデムの処理手順を説明するためのフローチャートである。まず、通信モデムの電源がオンされると（Ｓ１）、全体制御部７はＡＧＣ部１に対して制御信号を出力し、過去に学習した伝送路の状態に適した最適のゲイン値をＡＧＣ部１にセットする（Ｓ２）。
【００１３】
次に、全体制御部７は、通信モデムを待機状態にするために、スイッチ９ａおよび９ｂを制御してＡＤＣ３およびトーン検波部４に遅いクロックを供給すると共に、変復調部５、誤り補正部６および命令デコード部１０へのクロック供給を停止させる。さらに、全体制御部７は、回路ＯＦＦ信号を出力して、変復調部５、誤り補正部６および命令デコード部１０への電源供給も停止させる。また、全体制御部７は、ＡＤＣ３にＡＤＣ変換利用ビット数指定信号を出力して、ＡＤＣ変換素子を１ビットだけオンし、残りの複数ビットをオフするよう指示する（Ｓ３）。この１ビットは、データ通信に利用される搬送波の周波数帯域を切り出すことによって決定される。以上の動作によって、通信モデムは消費電力が最低となる待機状態に遷移する。
【００１４】
なお、待機状態においては、変復調部５、誤り補正部６および命令デコード部１０へのクロック供給および電源供給の両方を停止させるようにしたが、クロック供給および電源供給のいずれか一方だけを停止させるようにしてもよい。
【００１５】
この待機状態においては、受信すべき通信データがモデムに入力されているか否かを判定する状態であり、トーン検波部４が、受信すべきデータが入力されていないと判定した場合には（Ｓ４，Ｎｏ）、そのまま待機状態を維持する。また、トーン検波部４が、受信すべきデータが入力されていると判定した場合には（Ｓ４，Ｙｅｓ）、ステップＳ５のデータ受信処理に移行する。
【００１６】
トーン検波部４は、受信すべきデータが入力されているか否かを以下のようにして判定する。一般に、データ通信は、ある特定の周波数を持つ搬送波にデータが重畳されて送信される。受信側では搬送波を検波し、搬送波に重畳されたデータを抽出する。すなわち、受信側で搬送波の有無を判定することによって、受信すべきデータが通信モデムに入力されているか否かを判定することができる。
【００１７】
本実施の形態においては、ＢＰＦ２が、入力信号から搬送波の帯域のみを抽出した信号をＡＤＣ３へ出力する。ＡＤＣ３は、ＢＰＦ２から入力された信号値と、あるしきい値とを比較し、信号値がしきい値よりも大きい場合に、受信すべきデータがあることを示す信号、たとえば“１”をトーン検波部４に出力する。また、信号値がしきい値よりも小さい場合に、受信すべきデータが存在しないことを示す信号、たとえば“０”をトーン検波部４に出力する。
【００１８】
トーン検波部４は、たとえばＡＤＣ３から受信すべきデータがあることを示す信号“１”を１回でも受けた場合に受信データがあると判断する。また、受信すべきデータがあることを示す信号“１”を連続して複数回受けた場合に受信データがあると判断するようにしてもよい。トーン検出部４は、受信すべきデータがあると判断した場合、それを全体制御部７に通知する。
【００１９】
なお、上述した受信すべきデータが通信モデムに入力されているか否かを判定する動作は、トーン検波部４の後段の信号処理部に同期をさせる必要はなく、データの有無のみを判断すればよい。したがって、信号を受信しているときと同じ周波数のクロックでＡＤＣ３およびトーン検波部４を動作させる必要はなく、消費電力を小さくできる周波数のクロックをＡＤＣ３およびトーン検波部４に供給する。
【００２０】
ステップＳ５において、全体制御部７は、トーン検波部４から受信データがあることを示す信号を受けると、通信モデムを待機状態から受信状態に移行させるために、スイッチ９ａおよび９ｂを制御してＡＤＣ３およびトーン検波部４に、後段の信号処理部と同期がとれる、信号の受信状態のときに使用する速いクロックを供給すると共に、変復調部５、誤り補正部６および命令デコード部１０にクロックを供給する。さらに、全体制御部７は、回路ＯＮ信号を出力して、変復調部５、誤り補正部６および命令デコード部１０への電源も供給する。また、全体制御部７は、ＡＤＣ３にＡＤＣ変換利用ビット数指定信号を出力して、ＡＤＣ変換素子の全ビットをオンするよう指示する（Ｓ５）。
【００２１】
このように、通信モデムが受信状態になった後、受信したデータは変復調部５において変復調処理が行なわれた後、誤り補正部６において誤り補正処理が行なわれることによって、受信データが取出される。そして、命令デコード部１０が取出された受信データをデコードして、受信データの論理的な意味を解析する。
【００２２】
命令デコード部１０は、受信データの解析をしながら、受信データの最後を示すＥＯＦ（End of File）の検出を行なう（Ｓ６）。命令デコード部１０がＥＯＦを検出しなければ（Ｓ６，Ｎｏ）、ステップＳ５に戻ってデータの受信処理を繰返す。また、命令デコード部１０がＥＯＦを検出すれば（Ｓ６，Ｙｅｓ）、ステップＳ３に戻って通信モデムを待機状態にセットする。
【００２３】
以上説明したように、本実施の形態における通信モデムによれば、トーン検波部４が、受信すべきデータが入力されていると判定するまで、ＡＤＣ３およびトーン検波部４に遅いクロックを供給し、変復調部５、誤り補正部６および命令デコード部１０へのクロック供給を停止させ、変復調部５、誤り補正部６および命令デコード部１０への電源供給を停止させて、待機状態を維持するようにしたので、消費電力を削減した通信モデムを提供することが可能となる。
【００２４】
また、待機状態時の消費電力を最小限にできるので、ホームネットワークやトータルエネルギーマネージメントシステムにおいて要望が強い、消費電力、特に待機電力を削減できる通信モデムを提供することが可能となる。
【００２５】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２６】
【図１】本発明の実施の形態における通信モデムの概略構成を示すブロック図である。
【図２】本発明の実施の形態における通信モデムの処理手順を説明するためのフローチャートである。
【符号の説明】
【００２７】
１  ＡＧＣ部、２  ＢＰＦ、３  ＡＤＣ、４  トーン検波部、５  変復調部、６  誤り補正部、７  全体制御部、８  クロック供給部、９ａ，９ｂ  スイッチ、１０  命令デコード部。
【図１】
2005197999.tif 000003
【図２】
2005197999.tif 000004